(57)【要約】      （修正有）【課題】複数の対物レンズを保持するレンズホルダと光ディスクの内周側に設けられた突起部との干渉を防止することを可能とする光ピックアップ装置及びこれを用いた光ディスク装置を提供する。【解決手段】互いに異なる波長の光ビームをそれぞれ対応する光ディスクの信号記録面に集光させる第１及び第２の対物レンズ２３，２４と、フォーカス方向Ｆと、トラッキング方向Ｔと、タンジェンシャル方向Ｔｚを軸とした軸回り方向に傾斜するレンズホルダ１２と、支持部とを備え、第１及び第２の対物レンズ２３，２４は、トラッキング方向Ｔに並んで配置され、第１の対物レンズ２３が第２の対物レンズ２４に対して光ディスクの内周側に位置するように配置され、レンズホルダ１２は、第２の対物レンズ２４を用いて対応する光ディスクの信号記録面に集光させる際に、チルト方向でレンズホルダ１２のディスク内周側の部分を光ディスクから離間させる方向に傾斜される。【選択図】図７
2009059405.tif 000002
【特許請求の範囲】
【請求項１】
互いに異なる仕様とされ、対応する波長の光ビームをそれぞれ対応する光ディスクの信号記録面に集光させる第１及び第２の対物レンズと、
上記第１及び第２の対物レンズを保持するとともに、上記第１の対物レンズの光軸と平行なフォーカス方向と、上記第１の対物レンズの光軸方向と直交するトラッキング方向と、上記フォーカス方向及び上記トラッキング方向に直交するタンジェンシャル方向を軸とした軸回り方向に傾斜するチルト方向とに変位されるレンズホルダと、
上記レンズホルダを上記フォーカス方向、上記トラッキング方向及び上記チルト方向に変位可能に支持する支持部とを備え、
上記第１及び第２の対物レンズは、上記トラッキング方向に並んで配置されるとともに、上記第１の対物レンズが上記第２の対物レンズに対して上記光ディスクの内周側に位置するように配置され、
上記レンズホルダは、上記第２の対物レンズを用いて対応する少なくとも一の光ディスクの信号記録面に集光させる際に、上記チルト方向であって上記レンズホルダのディスク内周側の部分を上記光ディスクから離間させる方向に傾斜される光ピックアップ装置。
【請求項２】
上記第２の対物レンズは、二種類以上の光ディスクに対して対応する波長の光ビームをそれぞれの光ディスクの信号記録面に集光させ、
上記レンズホルダは、上記第２の対物レンズを用いて光ビームを少なくともワーキングディスタンスが最も小さい光ディスクの信号記録面に集光させる際に、上記光ディスクに対して上記レンズホルダの上記光ディスクの内周側に近接する側の部分を離間させるように傾斜される請求項１記載の光ピックアップ装置。
【請求項３】
上記第１の対物レンズは、第１の波長の光ビームを対応する光ディスクの信号記録面に集光させ、
上記第２の対物レンズは、上記第１の波長よりも長い第２の波長の光ビームを対応する光ディスクの信号記録面に集光させるとともに、上記第２の波長よりも長い第３の波長の光ビームを対応する光ディスクの信号記録面に集光させ、
上記レンズホルダは、上記第２の対物レンズを用いて少なくとも上記第３の波長の光ビームを対応する光ディスクの信号記録面に集光させる際に、上記チルト方向であって上記レンズホルダのディスク内周側の部分を上記光ディスクから離間させる方向に傾斜される請求項１記載の光ピックアップ装置。
【請求項４】
上記第２の対物レンズには、上記第３の波長の光ビームを対応する光ディスクの信号記録面に集光させる際に、上記レンズホルダが傾斜された状態で上記第３の波長の光ビームが集光される光ディスクの信号記録面上におけるコマ収差が０となるような状態で、上記第３の波長の光ビームが入射される請求項３記載の光ピックアップ装置。
【請求項５】
上記レンズホルダは、上記第２の対物レンズを用いて上記第２の波長の光ビームを対応する光ディスクの信号記録面に集光させる際に、上記チルト方向に傾斜されず、
上記第３の波長の光ビームは、上記第２の対物レンズに入射する際に、上記第２の対物レンズに入射する上記第２の波長の光ビームに対して傾斜した状態で入射される請求項３記載の光ピックアップ装置。
【請求項６】
上記第３の波長の光ビームを出射する出射部が、上記第２の波長の光ビームを出射する出射部に対してオフセットされた位置に配置されている請求項５記載の光ピックアップ装置。
【請求項７】
さらに、上記レンズホルダに設けられ、上記フォーカス方向に駆動力を発生させる上記トラッキング方向に並んで少なくとも一対設けられるフォーカスコイルと、
上記フォーカスコイルに対向して配置されるマグネットとを備え、
上記トラッキング方向の一方の側に設けられたフォーカスコイルと、上記トラッキング方向の他方の側に設けられたフォーカスコイルとには、それぞれ独立して駆動電流が供給され、
上記フォーカスコイルは、上記フォーカス方向に駆動力を発生させるとともに、上記一方の側のフォーカスコイルの駆動力と、上記他方の側のフォーカスコイルの駆動力とに差分を設けることにより上記チルト方向に駆動力を発生させる請求項１記載の光ピックアップ装置。
【請求項８】
さらに、上記チルト方向に駆動力を発生させるチルトコイルと、
上記チルトコイルに対向して配置されるマグネットとを備え、
上記チルトコイルは、上記チルト方向に駆動力を発生させる請求項１記載の光ピックアップ装置。
【請求項９】
複数種類の光ディスクを保持して回転駆動する駆動手段と、
上記駆動手段によって回転駆動される光ディスクに対して対応する波長の光ビームを照射することにより情報の記録及び／又は再生を行う光ピックアップ装置とを備える光ディスク装置において、
上記光ピックアップ装置は、互いに異なる仕様とされ、対応する波長の光ビームをそれぞれ対応する光ディスクの信号記録面に集光させる第１及び第２の対物レンズと、
上記第１及び第２の対物レンズを保持するとともに、上記第１の対物レンズの光軸と平行なフォーカス方向と、上記第１の対物レンズの光軸方向と直交するトラッキング方向と、上記フォーカス方向及び上記トラッキング方向に直交するタンジェンシャル方向を軸とした軸回り方向に傾斜するチルト方向とに変位されるレンズホルダと、
上記レンズホルダを上記フォーカス方向、上記トラッキング方向及び上記チルト方向に変位可能に支持する支持部とを備え、
上記第１及び第２の対物レンズは、上記トラッキング方向に並んで配置されるとともに、上記第１の対物レンズが上記第２の対物レンズに対して上記光ディスクの内周側に位置するように配置され、
上記レンズホルダは、上記第２の対物レンズを用いて対応する少なくとも一の光ディスクの信号記録面に集光させる際に、上記チルト方向であって上記レンズホルダのディスク内周側の部分を上記光ディスクから離間させる方向に傾斜される光ディスク装置。
【請求項１０】
さらに、装着された光ディスクの種類を判別するディスク種類判別手段を備え、
上記レンズホルダは、上記ディスク種類判別手段の判別結果に応じて、上記チルト方向であって上記レンズホルダのディスク内周側の部分を上記光ディスクから離間させる方向に傾斜され、又は、上記チルト方向に傾斜されない請求項９記載に光ディスク装置。
【発明の詳細な説明】
【技術分野】
【０００１】
本発明は、光ディスクに情報信号の記録を行い、光ディスクに記録された情報信号の再生を行うために用いられる光ピックアップ装置及びこれを用いた光ディスク装置に関する。
【背景技術】
【０００２】
従来、情報信号の記録媒体として、ＣＤ（Compact Disc）、ＤＶＤ(Digital Versatile Disc)等の光ディスクや、さらに高密度記録を可能とするため青紫色半導体レーザ等による波長４０５ｎｍ程度の光ビームを用いて信号の記録再生を行う光ディスク（以下、「高密度記録光ディスク」という。）が用いられ、この種の光ディスクに情報信号の記録を行い、あるいは光ディスクに記録された情報信号の再生を行うための光ディスク装置があり、この光ディスク装置には、光ディスクの半径方向へ移動され、この光ディスクに対して光ビームを照射する光ピックアップ装置が設けられている。
【０００３】
このような光ピックアップ装置は、可動部となるレンズホルダと、このレンズホルダを支持する支持部からなる対物レンズ駆動装置を備え、このレンズホルダに、対物レンズを保持させて、このレンズホルダを、例えばフォーカス方向及びトラッキング方向に駆動変位させることで、対物レンズにより集光される光ビームを光ディスクの記録層上に適切に集束させることができる。
【０００４】
ところで、上述した光ディスクには、その内周部に光ディスクの傷つき防止のための突起部が設けられており、かかる光ピックアップ装置において、対物レンズを小型化しようとすると、光ディスクと対物レンズとのワーキングディスタンスが小さくなり、駆動されるレンズホルダ又はこのレンズホルダに保持される対物レンズと、この光ディスクの内周部の突起部とが接触、干渉する等の問題が発生する。
【０００５】
その一方で、上述したＣＤ、ＤＶＤ、高密度記録光ディスク等の複数種類の光ディスクに対して互換性を有する光ピックアップ装置が望まれており、このような互換性を有する光ピックアップ装置では、ワーキングディスタンスが小さくなり、上述のような問題が発生しやすくなる。
【０００６】
また、使用波長、保護層の厚さ等が異なる複数種類の光ディスクに対応して互換性を持たせるため複数の対物レンズを有する光ピックアップ装置において、対物レンズを光ディスクの半径方向に並べて配置した場合には、特に上述のような問題が発生しやすい。例えば、互換性を有する光ピックアップ装置において一般的にワーキングディスタンスが小さいＣＤ等の一の光ディスク用の対物レンズ２０３のディスク内周側に他の光ディスク用の対物レンズ２０４がレンズホルダ２０１に配置されている光ピックアップ装置は、図８に示すように、この一の光ディスク用の対物レンズ２０３を用いて光ディスクに光ビームを集光する際に、ディスク内周側に張り出されたレンズホルダの部分２０１Ａと、光ディスク２０２の突起部２０２Ａとの干渉により一の光ディスクに対する再生・記録が不可能になるという不具合が発生するおそれがあった。尚、図８中において、レンズホルダのディスク内周側に張り出された部分２０１Ａと、光ディスク２０２の内周側に設けられた突起部２０２Ａとの干渉のおそれがある部分を破線で示す。また、図８中ＷＤは、ワーキングディスタンスを示す。
【０００７】
このように、複数種類の対物レンズを有し、複数種類の光ディスクに対して情報の記録及び／又は再生を行う光ピックアップ装置においては、レンズホルダと、光ディスクの内周突起等との干渉により、光ディスクに対する再生及び／又は記録を正常に行うことができないといった問題があった。
【０００８】
【特許文献１】特開２００２−３０４７６４号公報
【発明の開示】
【発明が解決しようとする課題】
【０００９】
本発明の目的は、複数の対物レンズを有し、波長を異にする光ビームを対応する光ディスクの信号記録面に集光させて光ディスクに対する信号の記録・再生を行う光ピックアップ装置において、この対物レンズを保持するレンズホルダと光ディスクの内周側に設けられた突起部との干渉を防止することを可能とする光ピックアップ装置及びこれを用いた光ディスク装置を提供することにある。
【課題を解決するための手段】
【００１０】
この目的を達成するため、本発明に係る光ピックアップ装置は、互いに異なる仕様とされ、対応する波長の光ビームをそれぞれ対応する光ディスクの信号記録面に集光させる第１及び第２の対物レンズと、上記第１及び第２の対物レンズを保持するとともに、上記第１の対物レンズの光軸と平行なフォーカス方向と、上記第１の対物レンズの光軸方向と直交するトラッキング方向と、上記フォーカス方向及び上記トラッキング方向に直交するタンジェンシャル方向を軸とした軸回り方向に傾斜するチルト方向とに変位されるレンズホルダと、上記レンズホルダを上記フォーカス方向、上記トラッキング方向及び上記チルト方向に変位可能に支持する支持部とを備え、上記第１及び第２の対物レンズは、上記トラッキング方向に並んで配置されるとともに、上記第１の対物レンズが上記第２の対物レンズに対して上記光ディスクの内周側に位置するように配置され、上記レンズホルダは、上記第２の対物レンズを用いて対応する少なくとも一の光ディスクの信号記録面に集光させる際に、上記チルト方向であって上記レンズホルダのディスク内周側の部分を上記光ディスクから離間させる方向に傾斜される。
【００１１】
また、この目的を達成するため、本発明に係る光ディスク装置は、複数種類の光ディスクを保持して回転駆動する駆動手段と、上記駆動手段によって回転駆動される光ディスクに対して対応する波長の光ビームを照射することにより情報の記録及び／又は再生を行う光ピックアップ装置とを備える光ディスク装置であり、この光ディスク装置に用いる光ピックアップ装置として、上述したようなものを用いたものである。
【発明の効果】
【００１２】
本発明は、第１及び第２の対物レンズを保持するとともに所定の方向に変位されるレンズホルダが、ディスク外周側に設けられた第２の対物レンズを用いて対応する少なくとも一の光ディスクの信号記録面に集光させる際に、チルト方向であってレンズホルダのディスク内周側の部分をこの光ディスクから離間させる方向に傾斜される構成により、レンズホルダと光ディスク内周側に設けられた突起部との干渉を防止して、光ディスクに対して情報信号の記録及び／又は再生を良好に行うことを可能とする。
【発明を実施するための最良の形態】
【００１３】
以下、本発明を適用した光ピックアップ装置を用いた光ディスク装置について、図面を参照して説明する。光ディスク装置１０１は、図１に示すように、光ディスク１０２に対して情報信号の記録及び／又は再生を行う記録再生装置である。
【００１４】
この光ディスク装置１０１で記録及び／又は再生を行う光ディスク１０２として、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等が用いられる。
【００１５】
特に、以下で光ディスク装置１０１により情報の再生又は記録を行う３種類の光ディスク１０２として、保護層の厚さが０．１ｍｍで波長４００〜４１０ｎｍ程度の第１の波長の光ビームを記録再生光として使用する高密度記録が可能な第１の光ディスク１０２Ａと、保護層の厚さが０．６ｍｍで波長６５０〜６６０ｎｍ程度の第２の波長の光ビームを記録再生光として使用するＤＶＤ等の第２の光ディスク１０２Ｂと、保護層の厚さが１．２ｍｍで波長７６０〜８００ｎｍ程度の第３の波長の光ビームを記録再生光として使用するＣＤ等の第３の光ディスク１０２Ｃとを用いるものとして説明する。
【００１６】
光ディスク装置１０１は、図１に示すように、光ディスク１０２を回転駆動する駆動手段としてのスピンドルモータ１０３と、光ピックアップ装置１と、光ピックアップ装置１をその半径方向に移動させる駆動手段としての送りモータ１０５とを備えている。ここで、スピンドルモータ１０３は、システムコントローラ１０７及び制御回路部１０９により所定の回転数で駆動するように制御されている。
【００１７】
信号変復調部及びＥＣＣブロック１０８は、信号処理部１２０から出力される信号の変調、復調及びＥＣＣ（エラー訂正符号）の付加を行う。光ピックアップ装置１は、システムコントローラ１０７及び制御回路部１０９からの指令に従って回転する光ディスク１０２の信号記録面に対して光ビームを照射する。このような光ビームの照射により光ディスク１０２に対する情報信号の記録が行われ、光ディスク１０２に記録された情報信号の再生が行われる。
【００１８】
また、光ピックアップ装置１は、光ディスク１０２の信号記録面から反射される反射光ビームに基づいて、後述するような各種の光ビームを検出し、各光ビームから得られる検出信号を信号処理部１２０に供給するように構成されている。
【００１９】
信号処理部１２０は、各光ビームを検出して得られる検出信号に基づいて各種のサーボ用信号、すなわち、フォーカスエラー信号、トラッキングエラー信号を生成し、さらに、光ディスク１０２に記録された情報信号であるＲＦ信号を生成する。また、再生対象とされる記録媒体の種類に応じて、制御回路部１０９、信号変復調部及びＥＣＣブロック１０８等により、これらの信号に基づく復調及び誤り訂正処理等の所定の処理が行われる。
【００２０】
ここで、信号変復調部及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００２１】
また、信号変復調部及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
【００２２】
光ピックアップ装置１には、送りモータ１０５が接続されている。光ピックアップ装置１は、送りモータ１０５の回転によって光ディスク１０２の径方向に送り操作され、光ディスク１０２上の所定の記録トラックまで移動される。スピンドルモータ１０３の制御と、送りモータ１０５の制御と、光ピックアップ装置１の対物レンズをその光軸方向のフォーカス方向及び光軸方向と直交するトラッキング方向へ移動変位させる対物レンズ駆動機構１１の制御は、それぞれ制御回路部１０９により行われる。
【００２３】
すなわち、制御回路部１０９は、スピンドルモータ１０３の制御を行い、フォーカスエラー信号及びトラッキングエラー信号に基づいて対物レンズ駆動機構１１の制御を行う。
【００２４】
尚、ここでフォーカス方向Ｆとは、光ピックアップ装置１の対物レンズ２３，２４の光軸方向をいい、タンジェンシャル方向Ｔｚとはフォーカス方向Ｆと直交する方向であって光ディスク装置１０１の円周のタンジェンシャル方向Ｔｚと平行する方向をいい、トラッキング方向Ｔとはフォーカス方向Ｆ及びタンジェンシャルＴｚ方向と直交する方向をいう。
【００２５】
また、制御回路部１０９は、信号処理部１２０から入力されるフォーカスエラー信号、トラッキングエラー信号、ＲＦ信号などに基づいて、光ピックアップ装置１に設けられたトラッキングコイル及びフォーカスコイルに供給するための駆動信号（駆動電流）をそれぞれ生成するように構成されている。
【００２６】
また、レーザ制御部１２１は、光ピックアップ装置１におけるレーザ光源を制御するものである。特に、この具体例では、レーザ制御部１２１は、記録モードと再生モードとでレーザ光源の出力パワーを異ならせる制御を行っている。また、光ディスク１０２の種類に応じてもレーザ光源の出力パワーを異ならせる制御を行っている。レーザ制御部１２１は、ディスク種類判別部１２２によって検出された光ディスク１０２の種類に応じて光ピックアップ装置１のレーザ光源を切り換えている。
【００２７】
ディスク種類判別部１２２は、第１〜第３の光ディスク１０２Ａ，１０２Ｂ，１０２Ｃ間の表面反射率、形状的及び外形的な違い等から光ディスク１０２の異なるフォーマットを検出することができる。
【００２８】
光ディスク装置１０１を構成する各ブロックは、ディスク種類判別部１２２における検出結果に応じて、装着される光ディスク１０２の仕様に基づく信号処理ができるように構成されている。
【００２９】
システムコントローラ１０７は、ディスク種類判別部１２２から送られる検出結果に基づいて光ディスク１０２の種類を判別する。また、同一光ディスクにおける記録層の判別には、光ディスク最内周にあるプリマスタードピットやグルーブ等に記録された目録情報（Table Of Contents；ＴＯＣ）による情報に基づいて、どの記録層に対する記録再生かを判別する手法が使用できる。
【００３０】
制御回路部１０９は、例えば光ピックアップ装置１と光ディスク１０２との相対位置を検出する（光ディスク１０２に記録されたアドレス信号をもとに位置検出する場合を含む）ことによって、記録及び／又は再生する記録領域を判別できる。
【００３１】
以上のように構成された光ディスク装置１０１は、スピンドルモータ１０３によって、光ディスク１０２を回転操作し、制御回路部１０９からの制御信号に応じて送りモータ１０５を駆動制御し、光ピックアップ装置１を光ディスク１０２の所望の記録トラックに対応する位置に移動することで、光ディスク１０２に対して情報の記録再生を行う。
【００３２】
次に、本発明が適用された光ピックアップ装置１について詳細に説明する。
【００３３】
光ピックアップ装置１は、波長を異にする複数種類の光ビームを選択的に用いて情報信号の記録又は再生が行われる複数種類の光ディスク１０２に対して、情報信号の記録及び／又は再生を行う光ディスク装置に用いられるものであり、具体的には、上述した第１乃至第３の光ディスク１０２Ａ，１０２Ｂ，１０２Ｃに対して情報信号の記録及び／又は再生を行うものとして説明する。
【００３４】
尚、以下では、光ピックアップ装置１を異なる３種類の光ディスクに対して、情報信号の記録及び／又は再生を行うものとして説明するが、これに限られるものではなく、異なる２又は４以上の複数種類の光ディスクに対して情報信号の記録及び／又は再生を行うものであってもよい。
【００３５】
本発明が適用された光ピックアップ装置１は、図２に示すように、上述した異なる波長の複数種類の光ビームを出射する半導体レーザ等からなる第１及び第２の光源２１，２２と、互いに異なる仕様とされそれぞれ対応する種類の光ビームを対応する光ディスク１０２の信号記録面に集光させる第１及び第２の対物レンズ２３，２４と、光ディスク１０２の信号記録面から反射される反射光ビームを検出する光検出素子としてのフォトダイオードと、第１及び第２の光源２１，２２からの光ビームを光ディスク１０２に導くとともに、光ディスク１０２で反射した光ビームを光検出素子に導く光学系とを有している。
【００３６】
ここで、第１の光源２１は、第１の波長の光ビームを出射させる出射部を有しており、第２の光源２２は、第１の波長よりも長い第２の波長の光ビームを出射させる出射部と、第２の波長よりも長い第３の波長の光ビームを出射させる出射部とを有している。ここで、第２の波長の光ビームを出射させる出射部２２ａは、これを第２の対物レンズ２４に導く光学系（第２の光学系１９）の各光学部品の略光軸上に配置され、第３の波長の光ビームを出射させる出射部２２ｂは、後述のように、第２の波長の光ビームを出射させる出射部２２ａに対してオフセットされた位置に配置されている。
【００３７】
また、第１の対物レンズ２３は、第１の波長の光ビームを対応する光ディスクとして第１の光ディスク１０２Ａの信号記録面に集光させ、第２の対物レンズ２４は、第２の波長の光ビームを対応する光ディスクとして第２の光ディスク１０２Ｂの信号記録面に集光させるとともに、第３の波長の光ビームを対応する光ディスクとして第３の光ディスク１０２Ｃの信号記録面に集光させる。また、第１及び第２の対物レンズ２３，２４は、半径方向（トラッキング方向Ｔ）に並べて配置されている。ここで、第１の対物レンズ２３は、第２の対物レンズ２４に対して光ディスク１０２の内周側（以下、「ディスク内周側」ともいう。）に位置するように配置されている。そして、第２の対物レンズ２４は、第１の対物レンズ２３に対して光ディスク１０２の外周側（以下、「ディスク外周側」ともいう。）に位置するように配置されている。また、第１及び第２の対物レンズ２３、２４は、例えば、その互いの光軸を略平行な状態としてレンズホルダ１２に取り付けられている。
【００３８】
第１及び第２の光源２１，２２から出射された光ビームを光ディスク１０２に導く光学系としては、図３（ａ）及び図３（ｂ）に示すように、第１の光源２１から出射された光ビームを第１の対物レンズ２３を介して第１の光ディスク１０２Ａである光ディスク１０２に導く第１の光学系１８と、第２の光源２２から出射された光ビームを第２の対物レンズ２４を介して第２又は第３の光ディスク１０２Ｂ，１０２Ｃである光ディスク１０２に導く第２の光学系１９とが設けられている。
【００３９】
第１の光学系１８は、図３（ａ）に示すように、少なくとも、第１の光源２１から出射された第１の波長の光ビームを回折して少なくとも３ビームに分割する第１のグレーティング２５と、第１のグレーティング２５で回折された光ビームの発散角を変換して略平行光とする第１のコリメータレンズ２６と、第１のコリメータレンズ２６で略平行光とされた光ビームを反射して第１の対物レンズ２３及び光ディスク１０２側に導く第１の立ち上げミラー３１と、第１の立ち上げミラー３１から出射された光ビームを光ディスク１０２の信号記録面に集光する上述した第１の対物レンズ２３とを有する。また、第１の光学系１８は、第１のグレーティング２５と第１のコリメータレンズ２６との間に設けられ、第１の対物レンズ２３により集光され光ディスク１０２で反射された戻りの光ビームの光路を、第１の光源２１から出射された往路の光ビームの光路から分離する偏光ビームスプリッタ２８と、偏光ビームスプリッタ２８で分離された戻りの光ビームを受光して検出する第１の光検出器２９と、偏光ビームスプリッタ２８と第１の光検出器２９との間に設けられ、偏光ビームスプリッタ２８で分離された戻りの光ビームを第１の光検出器２９の受光面に集光させるマルチレンズ３０とを有する。
【００４０】
また、第２の光学系１９は、図３（ｂ）に示すように、少なくとも、第２の光源２２から出射された第２及び第３の波長の光ビームを回折して少なくとも３ビームに分割する第２のグレーティング３３と、第２のグレーティング３３で回折された光ビームの発散角を変換して略平行光とする第２のコリメータレンズ３４と、第２のコリメータレンズ３４で略平行光とされた光ビームを反射して第２の対物レンズ２４及び光ディスク１０２側に導く第２の立ち上げミラー３２と、第２の立ち上げミラー３２から出射された光ビームを光ディスク１０２の信号記録面に集光する上述した第２の対物レンズ２４とを有する。また、第２の光学系１９は、第２のグレーティング３３と第２のコリメータレンズ３４との間の光路上に設けられ、第２の対物レンズ２４により集光され光ディスク１０２で反射された戻りの光ビームの光路を、第２の光源２２から出射された往路の光ビームの光路から分離するビームスプリッタ３６と、ビームスプリッタ３６で分離された戻りの光ビームを受光して検出する第２の光検出器３７とを有する。
【００４１】
この光ピックアップ装置１は、図２に示すように、光ディスク装置１０１の筐体内で光ディスク１０２の半径方向Ｒ（以下、「ラジアル方向」ともいう。）に移動可能に設けられた各種構成部品の取り付け基台としてのピックアップベース２０上に設けられている。尚、図２中矢印ＲＩは、ラジアル方向のうち内周側に向けた方向を示し、矢印ＲＯは、ラジアル方向のうち外周側に向けた方向を示すものである。
【００４２】
また、光ピックアップ装置１は、図４及び図５に示すように複数の対物レンズ２３，２４を保持するレンズホルダ１２と、レンズホルダ１２からタンジェンシャル方向Ｔｚに間隔をおいて配置されピックアップベース（取り付け基台）２０に取り付けられた支持体１３と、支持体１３に対してレンズホルダ１２をフォーカス方向Ｆ、トラッキング方向Ｔ及び後述のチルト方向Ｔｉｒに移動可能に支持する弾性支持部材として複数の支持アーム１４とを備える。このレンズホルダ１２、支持体１３及び支持アーム１４は、後述の各コイル５１ａ〜５１ｂ，５２ａ〜５２ｄ及びマグネット５３，５４とともに、後述のように対物レンズ２３，２４をフォーカス方向Ｆ及びトラッキング方向Ｔに駆動する対物レンズ駆動機構１１として機能する。
【００４３】
すなわち、対物レンズ駆動機構１１は、光源２１，２２から出射された光ビームを回転駆動される光ディスク１０２の信号記録面に集光する対物レンズ２３，２４を保持し、フォーカス方向Ｆとトラッキング方向Ｔとチルト方向Ｔｉｒとに移動されるレンズホルダ１２と、弾性部材である支持アーム１４を介してレンズホルダ１２をフォーカス方向Ｆ、トラッキング方向Ｔ及びチルト方向Ｔｉｒに移動可能に支持する支持体１３と、レンズホルダ１２に設けられたコイル５１，５２に所定の磁界を与えるマグネット５３，５４とを有する。
【００４４】
ここで、レンズホルダ１２は、フォーカス方向Ｆとトラッキング方向Ｔとに移動可能とされているとともに、タンジェンシャル方向Ｔｚを軸とした軸回り方向であるチルト方向Ｔｉｒに傾斜可能とされており、すなわち、フォーカス方向Ｆ、トラッキング方向Ｔ及びチルト方向Ｔｉｒに変位可能なように支持体１３に支持されている。
【００４５】
また、レンズホルダ１２は、図２及び図４に示すように、第１及び第２の対物レンズ２３，２４の外周面側を囲むように設けられ、上述のように変位されることで第１及び第２の対物レンズ２３，２４を対物レンズの光軸と平行なフォーカス方向Ｆと、光軸と直交するトラッキング方向Ｔと、傾斜方向であるチルト方向Ｔｉｒとに移動可能に支持している。
【００４６】
レンズホルダ１２の筐体には、第１及び第２の対物レンズ２３，２４のタンジェンシャル方向Ｔｚの両側に位置して、第１及び第２の対物レンズ２３，２４及びレンズホルダ１２の最も光ディスク１０２側に近接する部分に、摺動性と耐摩耗性とを有した保護手段としてプロテクタ部材１７が設けられている。プロテクタ部材１７は、衝撃等の理由による不要な振動により万が一レンズホルダ１２と光ディスク１０２とが衝突した場合に、光ディスク１０２に傷や摩耗痕が付いてしまうことを防止する。また、レンズホルダ１２には、その移動範囲を規制することにより、上述のようなレンズホルダ１２と光ディスク１０２との衝突を機械的に回避するための図示しない係合部に係合させて移動範囲を規制する移動範囲規制部１２ａが設けられている。
【００４７】
光ピックアップ装置１及び対物レンズ駆動機構１１において、レンズホルダ１２は、後述のようにワーキングディスタンスが小さい第３の光ディスク１０２Ｃの内周に設けられた突起部等との衝突を防止するため、第３の光ディスク１０２Ｃが装着された場合には、すなわち、第２の対物レンズ２４を用いて第３の波長の光ビームを対応する光ディスク１０２Ｃの信号記録面に集光させる際に、光ディスク１０２Ｃに対してレンズホルダ１２の光ディスク１０２Ｃの内周側に近接する側の部分１２Ｉを離間させるように傾斜され、すなわち、チルト方向Ｔｉｒであってレンズホルダ１２のディスク内周側（ディスク中心側）の部分１２Ｉを光ディスク１０２Ｃから離間させる所定の方向Ｔｉｒ１に傾斜される（図７参照）。ここで、ワーキングディスタンスとは、対物レンズ２３，２４の出射側の面と、装着された光ディスク１０２の入射側の表面との最も近接した位置での距離を意味するものとする。
【００４８】
尚、ここで説明する光ピックアップ装置１においては、第１の波長の光ビームを用いる第１の光ディスク１０２Ａに対する第１の対物レンズ２３と、第２、第３の波長の光ビームを用いる第２及び第３の光ディスク１０２Ｂ，１０２Ｃに対する第２の対物レンズ２４とから構成されているため、使用波長が大きく、保護層の厚さが大きな第３の光ディスク１０２Ｃのためのワーキングディスタンスが最も小さくなるものとして説明するが、ディスク外周側に設けられた第２の対物レンズ２４を用いる光ディスク１０２の中で、少なくともワーキングディスタンスが最も小さい光ディスクの信号記録面に集光させる際に、上述のようにレンズホルダ１２を所定の方向Ｔｉｒ１に傾斜させるように構成すればよい。
【００４９】
また、レンズホルダ１２は、上述のように、ディスク外周側に設けられた第２の対物レンズ２４を用いる光ディスク１０２の中で、ワーキングディスタンスが比較的に小さい第３の光ディスク１０２Ｃの信号記録面に集光させる際に、レンズホルダ１２を所定の方向Ｔｉｒ１に傾斜させるようにするとともに、ワーキングディスタンスが比較的に大きい第２の光ディスク１０２Ｂの信号記録面に集光させる際には、後述のように、レンズホルダ１２をチルト方向Ｔｉｒに傾斜させないように、すなわち、レンズホルダ１２を設けた対物レンズ２４を光ディスク１０２Ｂに正対させるようにする。
【００５０】
このようなレンズホルダ１２に保持される第２の対物レンズ２４には、第３の波長の光ビームを対応する第３の光ディスク１０２Ｃの信号記録面に集光させる際に、レンズホルダ１２が所定の方向Ｔｉｒ１に傾斜された状態で第３の波長の光ビームが集光される第３の光ディスク１０２Ｃの信号記録面上におけるコマ収差が０となるような状態で第３の波長の光ビームが入射される。すなわち、第２の対物レンズ２４は、正対された状態で、第２の光学系１９の光学部品の光軸上に配置された出射部２２ａから出射された第２の波長の光ビームが第２の対物レンズ２４の略光軸方向から入射され、この第２の波長の光ビームを収差を発生させない状態で第２の光ディスク１０２Ｂの信号記録面上に集光させるとともに、所定の方向Ｔｉｒ１に傾斜された状態で、出射部２２ａからオフセットされた位置に配置されている出射部２２ｂから出射された第３の波長の光ビームが第２の対物レンズ２４の略光軸方向、すなわち、第２の対物レンズ２４に入射する第２の波長の光ビームの入射方向に対して傾斜した状態で入射され、この第３の波長の光ビームを収差を発生させない状態で第３の光ディスク１０２Ｃの信号記録面上に集光させる。換言すると、上述した第３の波長の光ビームを出射する出射部２２ｂは、レンズホルダ１２が所定の方向Ｔｉｒ１に傾斜された状態で、第３の波長の光ビームが集光される第３の光ディスク１０２Ｃの信号記録面上におけるコマ収差が０となるような角度で第２の対物レンズ２４に入射されるような位置に配置されている。
【００５１】
尚、上述した光ピックアップ装置１を構成する第２の光源２２は、出射部２２ａ，２２ｂを有する光源として構成しているため、各出射位置が必然的に僅かにオフセットしてしまうため、このオフセットを利用することにより上述のようなコマ収差低減を実現してもよいし、さらには、意図的に出射部２２ｂを出射部２２ａに対してオフセットさせるような構成としてもよい。
【００５２】
また、ここでは、ディスク外周側に設けられた第２の対物レンズ２４を用いる光ディスク１０２の中で、ワーキングディスタンスが比較的に小さい第３の光ディスク１０２Ｃの信号記録面に集光させる際に、レンズホルダ１２を所定の方向Ｔｉｒ１に傾斜させるようにし、ワーキングディスタンスが比較的に大きい第２の光ディスク１０２Ｂの信号記録面に集光させる際には、レンズホルダ１２をチルト方向Ｔｉｒに傾斜させないように、光ピックアップ装置１を構成するが、これに限られるものではなく、この第２の対物レンズ２４を用いる第２及び第３の光ディスク１０２Ｂ，１０２Ｃの信号記録面に集光させるいずれの場合にも、レンズホルダ１２を所定の方向Ｔｉｒ１に傾斜させるように構成してもよい。このように構成する場合には、レンズホルダ１２をチルト方向に傾斜させて用いる第２の対物レンズ２４の光軸を、レンズホルダ１２を光ディスクに正対して用いる第１の対物レンズ２３の光軸に対して傾斜させてレンズホルダ１２に保持させてもよい。
【００５３】
上述した対物レンズ２３，２４が保持されたレンズホルダ１２には、そのタンジェンシャル方向Ｔｚに相対向する側面に、光ディスク１０２の略半径方向であるトラッキング方向Ｔに駆動力を発生させる第１及び第２のトラッキングコイル５１ａ，５１ｂと、光ディスク１０２に近接及び離間する方向であるフォーカス方向Ｆに駆動力を発生させる第１乃至第４のフォーカスコイル５２ａ，５２ｂ，５２ｃ，５２ｄとが取り付けられている。ここで、第１のトラッキングコイル５１ａ並びに第１及び第２のフォーカスコイル５２ａ，５２ｂは、レンズホルダ１２の一方の側面である先端側の側面に設けられており、第２のトラッキングコイル５１ｂ並びに第３及び第４のフォーカスコイル５２ｃ，５２ｄは、レンズホルダ１２の他方の側面である基端部側の側面に設けられている。また、第１及び第４のフォーカスコイル５２ａ，５２ｄは、トラッキング方向Ｔの一方の側に配置され、第２及び第３のフォーカスコイル５２ｂ，５２ｃは、トラッキング方向Ｔの他方の側に配置されている。
【００５４】
ピックアップベース２０には、レンズホルダ１２との間に、ヨーク部材６１，６２が取り付けられている。このヨーク部材６１，６２は、レンズホルダ１２を挟むように配置されており、第１及び第２の対物レンズ２３，２４を挟んで相対向するように一対のヨーク片６１ａ，６２ａが立ち上がり形成される。各ヨーク片６１ａ，６１ｂの相対向する面には、一対のマグネット５３，５４が取り付けられている。この一対のマグネット５３，５４は、各トラッキングコイル５１ａ，５１ｂ及び各フォーカスコイル５２ａ〜５２ｄに対向するように配置され、この各トラッキングコイル５１ａ，５１ｂ及び各フォーカスコイル５２ａ〜５２ｄに所定の磁界を与える。尚、ここでは、ヨーク部材６１，６２とを別体にて構成したが、これらを一体として構成してもよい。
【００５５】
そして、この各トラッキングコイル５１ａ，５１ｂ及び各フォーカスコイル５２ａ〜５２ｄに駆動用の電流が供給されると、各コイル５１ａ〜５１ｂ，５２ａ〜５２ｄに供給された電流と、マグネット５３，５４からの磁界との相互作用によって、レンズホルダ１２をトラッキング方向Ｔ及びフォーカス方向Ｆに駆動変位させる。
【００５６】
その結果、レンズホルダ１２に支持された第１及び第２の対物レンズ２３，２４が、フォーカス方向Ｆ及び／又はトラッキング方向Ｔに駆動変位され、第１及び第２の対物レンズ２３，２４を介して光ディスク１０２に照射される光ビームが光ディスク１０２の信号記録面に合焦するように制御されるフォーカス制御が行われ、光ビームが光ディスク１０２に形成された記録トラックを追従するように制御されるトラッキング制御が行われる。
【００５７】
また、上述のフォーカスコイル５２ａ〜５２ｄは、各フォーカスコイル５２ａ〜５２ｄに供給する駆動用の電流に差分を設けること、すなわち、そのトラッキング方向Ｔの一方の側に設けられたフォーカスコイル５２ａ，５２ｄの駆動力と、そのトラッキング方向Ｔの他方の側に設けられたフォーカスコイル５２ｂ，５２ｃの駆動力とに差分を設けることにより、タンジェンシャル方向Ｔｚを軸とした軸回り方向であるラジアルチルト方向Ｔｉｒに駆動力を発生させ、レンズホルダ１２をラジアルチルト方向Ｔｉｒに傾斜させることができる。尚、ここでは、上述のように、光ディスク１０２の種類に応じて、レンズホルダ１２を傾斜させる、いわゆる静的な傾き補正を行うように構成した例について説明するが、フォーカス制御及びトラッキング制御と同様に、チルト制御信号を検出し、このチルト制御信号に応じて記録・再生中に動的に傾き補正を行うようにしてもよい。
【００５８】
尚、ここでは、レンズホルダ１２のラジアルチルト方向Ｔｉｒへの動作を各フォーカスコイル５２ａ〜５２ｄに供給する駆動用の電流に差分を設けることにより行う構成について説明したが、例えば、上述したトラッキングコイル５１ａ〜５１ｂ及びフォーカスコイル５２ａ〜５２ｄ並びにこれに磁界を与えるマグネット５３，５４の他に、専用のチルトコイル及びこれに磁界を与えるマグネットを設けるように構成してもよい。さらに、トラッキング方向Ｔの軸回り方向である所謂タンジェンシャルチルト方向に、レンズホルダ１２及びこれに保持された対物レンズ２３，２４を傾斜させるためのチルトコイル及びチルトコイル用のマグネットを設けるように構成してもよい。
【００５９】
また、光ピックアップ装置１は、ピックアップベース２０の光ディスク１０２に対向する側の上面側の主面２０ａに設けられ、対物レンズ駆動機構１１を覆うように形成される上面側カバー部材７１と、ピックアップベース２０の光ディスク１０２に対向する側の主面２０ａと反対側の下面側の主面２０ｂに設けられ、ピックアップベース２０の下面側に設けられる各光学部品及びピックアップベース２０の下面２０ｂを覆うように形成される下面側カバー部材７２とを有する。尚、上述した第１の光源２１は、レーザホルダ６３に保持されて放熱シート７３を介してピックアップベース２０に固定され、第２の光源２２は、レーザホルダ６４に保持されて放熱シート７４を介してピックアップベース２０に固定されている。
【００６０】
以上のように構成された光ピックアップ装置１は、装着された光ディスク１０２の種類に応じて、第１及び第２の光源２１，２２に設けられた出射部から第１乃至第３の波長の光ビームのうち光ディスク１０２の種類に対応した波長の光ビームを出射させ、第１及び第２の対物レンズ２３，２４のうち光ディスク１０２の種類に対応した対物レンズを介して照射される光ビームが所定の記録トラックに合焦して追従するようにフォーカス制御及びトラッキング制御を行うことにより、光ディスク１０２に対して情報信号の記録又は再生を行うことができる。
【００６１】
ところで、一般的に複数種類の光ディスクに対する互換性を有する光ピックアップ装置において、レンズホルダと、ワーキングディスタンスが小さい光ディスクのディスク内周に設けられた突起部との衝突・干渉により記録・再生が正常に行われないことが問題となる。一般的に、このような問題を回避するためには、ワーキングディスタンスを大きくせざるを得なかったが、ワーキングディスタンスを大きくするために対物レンズの径が大型化してしまい、これに伴うアクチュエータ（対物レンズ駆動機構）の大型化、光学部品の大型化や、アクチュエータの可動部の重量が大きくなることによる感度低下により記録・再生特性の低下等が問題となっていた。上述した光ピックアップ装置１は、第２の対物レンズ２４を用いて第３の波長の光ビームを第３の光ディスク１０２Ｃの信号記録面に集光させる際に、レンズホルダ１２を所定の方向Ｔｉｒ１に傾斜させるようにする構成により、このような問題を解消できるが、この点について、以下に詳細に説明する。
【００６２】
まず、第１の光ディスク１０２Ａが装着された場合について説明する。上述のように構成された光ピックアップ装置１は、ディスク種類判別部１２２により装着された光ディスク１０２の種類が第１の光ディスク１０２Ａであると判別し、第１の光源２１の出射部から第１の波長の光ビームを出射させるとともに、図示しないが後述する図６に示すような場合と同様に、レンズホルダ１２がチルト方向Ｔｉｒに傾斜されないで、レンズホルダ１２及びこれに保持された第１の対物レンズ２３が第１の光ディスク１０２Ａに正対した状態とする。
【００６３】
光ピックアップ装置１は、第１の光源２１から出射され第１の光学系１８に導かれた第１の波長の光ビームを第１の対物レンズ２３により第１の光ディスク１０２Ａの信号記録面に集光して、この第１の光ディスク１０２Ａに対する情報信号の記録又は再生を行う。このとき、第１の対物レンズ２３は、ディスク内周側に配置されているため、第１の光ディスク１０２Ａの内周部に設けられた突起部と、レンズホルダ１２との干渉が問題となることがない。
【００６４】
次に、第２の光ディスク１０２Ｂが装着された場合について説明する。光ピックアップ装置１は、ディスク種類判別部１２２により装着された光ディスク１０２の種類が第２の光ディスク１０２Ｂであると判別し、第２の光源２２の出射部２２ａから第２の波長の光ビームを出射させるとともに、図６に示すように、レンズホルダ１２がチルト方向Ｔｉｒに傾斜されないで、レンズホルダ１２及びこれに保持された第２の対物レンズ２４が第２の光ディスク１０２Ｂに正対した状態とする。
【００６５】
光ピックアップ装置１は、第２の光源２２から出射され第２の光学系１９に導かれた第２の波長の光ビームＢ２を第２の対物レンズ２４により第２の光ディスク１０２Ｂの信号記録面に集光して、この第２の光ディスク１０２Ｂに対する情報信号の記録又は再生を行う。このとき、第２の対物レンズ２４は、ディスク外周側に配置されているが、後述する第３の光ディスク１０２Ｃの場合と比べて、ワーキングディスタンスＷＤ２が大きくなっているため、第２の光ディスク１０２Ｂの内周部に設けられた突起部１０２ＢＲと、レンズホルダ１２との干渉が問題となることがない。尚、この第２の光ディスク１０２Ｂに対して記録又は再生を行う場合のワーキングディスタンスＷＤ２が小さい場合には、後述の第３の光ディスク１０２Ｃに対して記録又は再生を行う場合と同様に、レンズホルダ１２を所定の方向Ｔｉｒ１に傾斜するように構成してもよい。
【００６６】
次に、第３の光ディスク１０２Ｃが装着された場合について説明する。光ピックアップ装置１は、ディスク種類判別部１２２により装着された光ディスク１０２の種類が第３の光ディスク１０２Ｃであると判別し、第２の光源２２の出射部２２ｂから第３の波長の光ビームを出射させるとともに、図７に示すように、レンズホルダ１２をチルト方向Ｔｉｒであってレンズホルダ１２のディスク内周側の部分１２Ｉを光ディスク１０２Ｃから離間させる所定の方向Ｔｉｒ１に傾斜させた状態とする。
【００６７】
光ピックアップ装置１は、第２の光源２２から出射され第２の光学系１９に導かれた第３の波長の光ビームＢ３を所定の方向Ｔｉｒ１に傾斜されたレンズホルダ１２に保持された第２の対物レンズ２４により第３の光ディスク１０２Ｃの信号記録面に集光して、この第３の光ディスク１０２Ｃに対する情報信号の記録又は再生を行う。このとき、第２の対物レンズ２４がディスク外周側に配置されており、レンズホルダ１２を第３の光ディスク１０２Ｃに正対させたとすれば、レンズホルダ１２のディスク内周側の部分１２Ｉと、第３の光ディスク１０２Ｃの内周部に設けられた突起部１０２ＣＲとの干渉が問題となるが、この光ピックアップ装置１は、上述のようにレンズホルダ１２を所定の方向Ｔｉｒ１に傾斜させているので、レンズホルダ１２のディスク内周側の部分１２Ｉと、第３の光ディスク１０２Ｃの内周部に設けられた突起部１０２ＣＲとの干渉を防止して、レンズホルダ１２が光ディスク１０２Ｃに干渉することにより光ディスク１０２Ｃに対して情報信号の記録又は再生が正常に行うことができないといった問題を防止することができる。
【００６８】
複数種類の光ディスクに対して互換性を有する光ピックアップ装置では、短波長である第１の波長の光ビームを用いる高密度記録が可能な第１の光ディスク１０２Ａの方が、第２及び第３の光ディスク１０２Ｂ，１０２Ｃに対して、より内周側データへのアクセスを行うという理由から内周側に第１の光ディスク１０２Ａに対応する第１の対物レンズ２３を配置し、外周側に第２及び第３の光ディスク１０２Ｂ，１０２Ｃに対応する第２の対物レンズ２４を配置することが望まれるが、上述した光ピックアップ装置１は、このような配置とした場合に問題となる、第２の対物レンズ２４を用いてワーキングディスタンスの小さい光ディスクの信号記録面に集光させる場合の内周突起部とレンズホルダとの干渉を防止することにより、上述のような配置を可能とする。
【００６９】
尚、上述では、光ピックアップ装置１による各光ディスク１０２Ａ，１０２Ｂ，１０２Ｃへの記録又は再生において、装着された光ディスクをディスク種類判別手段１２２等による判別結果に基づいて、レンズホルダ１２及びこれに保持された対物レンズ２３，２４を所謂静的にチルト方向Ｔｉｒに傾斜させるものとして説明したが、さらに、チルト制御信号を検出し、この信号に応じて、上述したレンズホルダ１２及びこれに保持された対物レンズ２３，２４が正対された状態及び所定の方向Ｔｉｒ１に傾斜された状態から動的に傾き補正を行うようにしてもよい。
【００７０】
また、光ピックアップ装置１は、第３の波長の光ビームを出射する出射部２２ｂが、第２の波長の光ビームを出射する出射部２２ａに対してオフセットされた位置に配置されており、第３の波長の光ビームＢ３が、第２の対物レンズ２４に入射する際に、正対した状態で用いる第２の対物レンズ２４に入射する第２の波長の光ビームＢ２に対して所定の傾斜角で傾斜した状態で入射されるように構成されているため、レンズホルダ１２を上述のように所定の方向Ｔｉｒ１に傾斜された状態で第３の波長の光ビームが第３の光ディスク１０２Ｃの信号記録面上に集光されたときのコマ収差が０となるようにすることができ、第３の光ディスク１０２Ｃに対する情報信号の記録及び再生を良好に行うことを可能とする。
【００７１】
換言すると、光ピックアップ装置１は、第３の波長の光ビームを対応する第３の光ディスク１０２Ｃの信号記録面に集光させる際に、第２の対物レンズ２４に、レンズホルダ１２が上述のように傾斜された状態で第３の波長の光ビームが集光される第３の光ディスク１０２Ｃの信号記録面上におけるコマ収差が０となるような状態で、第３の波長の光ビームＢ３が入射されることにより、同一の対物レンズ２４を用い、第２の波長の光ビームを集光する場合にはこの対物レンズ２４を光ディスク１０２Ｂに対して正対させ、第３の波長の光ビームを集光する場合にはこの対物レンズ２４を正対した状態から所定の方向Ｔｉｒ１に傾斜させることにより、コマ収差が発生してしまう等の問題を回避して、両波長に対応する第２及び第３の光ディスク１０２Ｂ，１０２Ｃに対する情報信号の記録及び再生を良好に行うことを可能とする。
【００７２】
以上のように構成された光ピックアップ装置１は、第１の波長の光ビームを対応する第１の光ディスク１０２Ａの信号記録面に集光させる第１の対物レンズ２３と、第１の波長よりも長い第２の波長の光ビームを対応する第２の光ディスク１０２Ｂの信号記録面に集光させるとともに、第２の波長よりも長い第３の波長の光ビームを対応する第３の光ディスク１０２Ｃの信号記録面に集光させる第２の対物レンズ２４と、第１及び第２の対物レンズ２３，２４を保持するとともに、フォーカス方向Ｆと、トラッキング方向Ｔと、チルト方向Ｔｉｒとに変位されるレンズホルダ１２と、レンズホルダ１２をフォーカス方向Ｆ、トラッキング方向Ｔ及びチルト方向Ｔｉｒに変位可能に支持する支持体１３とを備え、第１及び第２の対物レンズ２３，２４は、トラッキング方向Ｔに並んで配置されるとともに、第１の対物レンズ２３が第２の対物レンズ２４に対して光ディスク１０２の内周側に位置するように配置され、レンズホルダ１２は、第２の対物レンズ２４を用いて対応する少なくとも第３の光ディスク１０２Ｃの信号記録面に集光させる際に、チルト方向Ｔｉｒであってレンズホルダ１２のディスク内周側の部分を光ディスク１０２から離間させる方向Ｔｉｒ１に傾斜される構成により、すなわち、第１及び第２の対物レンズ２３，２４を保持するとともに所定の方向に変位されるレンズホルダ１２が、ディスク外周側に設けられた第２の対物レンズ２４を用いてワーキングディスタンスが小さい光ディスク１０２Ｃの信号記録面に集光させる際に、レンズホルダ１２のディスク内周側の部分１２Ｉをこの光ディスク１０２Ｃから離間させる方向Ｔｉｒ１に傾斜される構成により、レンズホルダ１２と各光ディスク１０２Ａ，１０２Ｂ，１０２Ｃ内周側に設けられた突起部との干渉を防止して、光ディスク１０２Ａ，１０２Ｂ，１０２Ｃに対する情報信号の記録又は再生が正常に行われないことを防止して、光ディスクに対する情報信号の記録及び／又は再生を良好に行うことを実現する。
【００７３】
本発明を適用した光ピックアップ装置１は、上述のワーキングディスタンスが小さい光ディスク１０２の内周突起部とレンズホルダとの干渉を防止する効果により、ワーキングディスタンスを大きくするための対物レンズの大型化を避けることができ、すなわち、対物レンズの径を小さくできるので、対物レンズ駆動機構や各光学部品、さらには装置全体の小型化を可能とし、また可動部であるレンズホルダ１２の重量を小さくすることができるので、感度向上、高倍速への適用、駆動力を小さく抑えることを可能とする。
【００７４】
また、本発明を適用した光ピックアップ装置１は、第３の波長の光ビームを出射する出射部２２ｂが、第２の波長の光ビームを出射する出射部２２ａに対してオフセットされた位置に配置されていることにより、第３の波長の光ビームが、第２の対物レンズ２４に入射する際に、第２の対物レンズ２４に入射する第２の波長の光ビームに対して所定の傾斜角で傾斜した状態で入射されるように構成されているため、レンズホルダ１２を所定の方向Ｔｉｒ１に傾斜された状態で第３の波長の光ビームが第３の光ディスク１０２Ｃの信号記録面上に集光されたときのコマ収差が０となるようにすることができ、上述したような光ディスク１０２の内周側突起部とレンズホルダ１２との干渉をレンズホルダ１２を傾斜させることにより防止するとともに、このレンズホルダ１２を傾斜させた状態においても良好な記録・再生を可能とする。
【００７５】
尚、上述した光ピックアップ装置１では、第１の波長の光ビームを第１の光ディスク１０２Ａの信号記録面に集光する第１の対物レンズ２３と、第２の波長の光ビームを第２の光ディスク１０２Ｂの信号記録面に集光するとともに、第３の波長の光ビームを第３の光ディスク１０２Ｃの信号記録面に集光する第２の対物レンズ２４とを備えるものとして説明したが、これに限られるものではなく、本発明は、互いに異なる仕様とされ、対応する波長の光ビームをそれぞれ対応する光ディスクの信号記録面に集光させる第１及び第２の対物レンズが、トラッキング方向に並んで配置されているものに適用することができる。
【００７６】
すなわち、本発明を適用した光ピックアップ装置１は、上述のように、互いに異なる仕様とされ、対応する波長の光ビームをそれぞれ対応する光ディスク１０２の信号記録面に集光させる第１及び第２の対物レンズ２３，２４と、第１及び第２の対物レンズ２３，２４を保持するとともに、フォーカス方向Ｆと、トラッキング方向Ｔと、チルト方向Ｔｉｒとに変位されるレンズホルダ１２と、レンズホルダ１２をフォーカス方向Ｆ、トラッキング方向Ｔ及びチルト方向Ｔｉｒに変位可能に支持する支持体１３とを備え、第１及び第２の対物レンズ２３，２４は、トラッキング方向Ｔに並んで配置されるとともに、第１の対物レンズ２３が第２の対物レンズ２４に対して光ディスク１０２の内周側に位置するように配置され、レンズホルダ１２は、第２の対物レンズ２４を用いて対応する少なくとも一の光ディスク１０２の信号記録面に集光させる際に、チルト方向Ｔｉｒであってレンズホルダ１２のディスク内周側の部分を光ディスク１０２から離間させる方向Ｔｉｒ１に傾斜されるように構成されていることにより、レンズホルダと光ディスク内周側に設けられた突起部との干渉を防止して、光ディスクに対して情報信号の記録及び／又は再生を良好に行うことを可能とする。
【００７７】
また、本発明が適用された光ディスク装置１０１は、複数種類の光ディスク１０２Ａ，１０２Ｂ，１０２Ｃを保持して回転駆動する駆動手段と、対物レンズ駆動機構１１を備えこの駆動手段により回転駆動される光ディスク１０２に対し対応する波長の光ビームを照射することにより駆動信号の記録及び／又は再生を行う光ピックアップ装置とを有し、この光ピックアップ装置として上述した光ピックアップ装置１を用いることにより、レンズホルダと光ディスク内周側に設けられた突起部との干渉を防止して、光ディスク１０２に対して情報信号の記録及び／又は再生を良好に行うことを可能とし、さらには、装置の小型化、対物レンズの駆動感度向上、高倍速化、駆動力の低下を実現する。
【図面の簡単な説明】
【００７８】
【図１】本発明を適用した光ディスク装置の概略構成を示すブロック回路図である。
【図２】本発明を適用した光ピックアップ装置の斜視図である。
【図３】本発明を適用した光ピックアップ装置を構成する光学系を説明するための図であり、（ａ）は、第１の光学系を示す光路図であり、（ｂ）は、第２の光学系を示す光路図である。
【図４】本発明を適用した光ピックアップ装置の分解斜視図である。
【図５】本発明を適用した光ピックアップ装置を構成する対物レンズ駆動機構の平面図である。
【図６】本発明を適用した光ピックアップ装置の第２の対物レンズにより第２の光ディスクの信号記録面に光ビームを集光させる際に、この第２の光ディスクと、光ピックアップ装置のレンズホルダとの関係を示す断面図である。
【図７】本発明を適用した光ピックアップ装置の第２の対物レンズにより第３の光ディスクの信号記録面に光ビームを集光させる際に、この第３の光ディスクと、光ピックアップ装置のレンズホルダとの関係を示す断面図である。
【図８】従来の光ピックアップ装置のディスク外周側に設けられた対物レンズにより光ディスクの信号記録面に光ビームを集光させる際に、この光ディスクと、光ピックアップ装置を構成するレンズホルダとの関係を示す側面図である。
【符号の説明】
【００７９】
１  光ピックアップ装置、  １１  対物レンズ駆動機構、  １２  レンズホルダ、  １３  支持体、  １４  支持アーム、  ２０  ピックアップベース、  ２１  第１の光源、  ２２  第２の光源、  ２３  第１の対物レンズ、  ２４  第２の対物レンズ、  ５３，５４  マグネット、  ６１  ヨーク部材、  ６２  ヨーク部材、  １０１  光ディスク装置、  １０２  光ディスク、  １０３  スピンドルモータ
【図１】
2009059405.tif 000003
【図２】
2009059405.tif 000004
【図３】
2009059405.tif 000005
【図４】
2009059405.tif 000006
【図５】
2009059405.tif 000007
【図６】
2009059405.tif 000008
【図７】
2009059405.tif 000009
【図８】
2009059405.tif 000010